(57)【要約】【課題】  中空形材を連続並列したブラインド又は一部にスリットを配置したスリット入りのパネルを有する門扉を提供する。【解決手段】  中空形材１ａ、１ｂを、その長手方向両端で所定長さの同長に直交切断することによって該長手方向両端を切断小口とし、該切断小口に連結枠２を対接し、連結枠２からのネジ３を中空形材１ａ、１ｂのタッピングホール１４に螺入して、対向一対の連結枠２によって中空形材１ａ、１ｂ長手方向両端を追っ付け状にネジ３固定することによって、ブランクパネル乃至中空形材間にスリットを配置した門扉Ａとして連結一体化する。プレス加工を可及的に減少し且つ一体化の構造を簡素化して、その強度を確保するとともに生産効率の向上をなし得る。【選択図】  図３
2011074635.tif 000002
【特許請求の範囲】
【請求項１】
同長多数の中空形材を連続並列したブランクパネル又はその中空形材間に部分的なスリットを配置したスリット入りパネルを対向一対の連結枠によって一体化して形成した門扉であって、上記中空形材を、端部配置用において中空基部の片側に、中間配置用において中空基部の両側にそれぞれ配置した嵌合条を隣接相互に嵌合し且つ各中空形材を直交切断した長手方向両端の切断小口に上記対向一対の連結枠を対接し該対向一対の連結枠から全部又は所定の中空形材の連結壁に配置したタッピングホールに対してネジを螺入することによって中空形材を上記ブランクパネル又はスリット入りパネルとして連結一体化してなることを特徴とする門扉。
【請求項２】
上記対向一対の一方又は双方の連結枠に、その見込面を被覆するネジ隠し材を配置してなることと特徴とする請求項１に記載の門扉。
【請求項３】
上記連結枠の長手方向端部を、上記端部配置用の中空形材の見込面に配置したＣ字状の溝条にコーナーブロックを介して保持してなることを特徴とする請求項１又は２に記載の門扉。
【請求項４】
上記門扉のパネルをスリット入りパネルとし、そのスリットに隣接する両側の中空形材の嵌合条に該嵌合条の溝を閉塞する一対の溝塞ぎ材をそれぞれ嵌合配置してなることを特徴とする請求項１、２又は３に記載の門扉。
【請求項５】
上記門扉のパネルをスリット入りパネルとし、その上記中空形材間のスリットの配置を、該スリット上下端にスペーサーを配置するとともに上記対向一対の連結枠から該スペーサーに対してネジを螺入することによって該スペーサーを連結枠に連結一体化してなることを特徴とする請求項１、２、３又は４に記載の門扉。
【請求項６】
上記スペーサーを、一面にネジ受溝を備えて短寸に切断した短寸中空形材によって形成し、ネジ受溝を連結枠に向けてスペーサーに隣接する中空形材間に該短寸中空形材を介装配置し、上記対向一対の連結枠からのネジの螺入を上記ネジ受溝に対して行ってなることを特徴とする請求項５に記載の門扉。
【請求項７】
上記門扉のパネルをスリット入りパネルとし、そのスリットに隣接する両側の中空形材の嵌合条に該嵌合条の溝を閉塞する一対の溝塞ぎ材をそれぞれ嵌合配置するとともに該溝塞ぎ材にその裏面からネジをスペーサーに螺入することによって、該スリット上下端のスペーサーを該溝塞ぎ材と一体化してなることを特徴とする請求項５又は６に記載の門扉。
【請求項８】
上記連結材を、平坦基板と、該平坦基板の幅方向両端に係止条を備えて断面Ｃ字状の板状形材によって形成し且つネジ隠し材に配置した係止条を該連結材の係止条に嵌合係止してその配置を行なってなることを特徴とする請求項１、２、３、４、５、６又は７に記載の門扉。
【発明の詳細な説明】
【技術分野】
【０００１】
本発明は、中空形材を用いて形成した門扉に関する。
【背景技術】
【０００２】
この種の中空形材を用いて形成した門扉として、同長多数の中空形材を連続並列したブランクパネルを対向一対の連結枠によって一体化して形成したものが知られており、この場合、上記中空形材を、端部配置用において中空基部の片側に、中間配置用において中空基部の両側にそれぞれ配置した嵌合条を隣接相互に嵌合し、各中空形材の長手方向両端に配置した切欠部に連結枠をそれぞれ嵌合して該連結枠を受入れるとともに端部配置用において長手方向両端に上記切欠部の切欠きで残存突出した舌片状の残存突片によって連結枠を被覆して、該連結枠から中空形材の連結壁に配置したタッピングホールに対してネジを螺入する一方、舌片状の残存突片から連結枠のタッピングホールに対してネジを螺入することによって中空形材を上記ブランクパネルとして連結一体化したものとされている。
【先行技術文献】
【特許文献】
【０００３】
【特許文献１】実公平４−２３１９号公報
【発明の概要】
【発明が解決しようとする課題】
【０００４】
この場合、上記中空形材を用いて、これらを一体化したブランクパネルの門扉を形成することができ、また、中空形材を強固に一体化したものとすることができる。しかし乍ら、これら中空形材の長手方向両端には、端部配置用にあっては上記舌片状の残存突片を残し且つ更に端部から長手方向に向けて切り欠いた切欠部を、中間配置用にあっては同じく端部から長手方向に向けて切り欠いた各切欠部をそれぞれプレス加工によって形成する必要があり、また、連結一体化に際しては連結枠を中空形材の全ての切欠部に嵌合して該連結枠を受入れてそれぞれのネジ止めを行うことが必要となるから、プレス加工の高度な精度が求められるとともに一体化の構造が複雑で、その作業が煩雑化する傾向を招き易く、従って、中空形材のプレス加工、その精度並びに一体化作業の煩雑化によって、門扉生産の効率が阻害され、高コストのものとなり易いという問題点が残されている。
【０００５】
本発明は、かかる事情に鑑みてなされたもので、その解決課題とするところは、門扉としての中空形材の一体化強度を充分に確保した上、中空形材のプレス加工を可及的に簡素化するとともに一体化の構造を可及的に簡素化して、中空形材の加工とその一体化作業を可及的に容易化し、生産効率を可及的に向上し得るようにした門扉を提供するにある。
【課題を解決するための手段】
【０００６】
上記課題に沿って本発明は、中空形材の連結に、その中空基部両側の嵌合条の嵌合を用いるも、その対向一対の連結枠による中空形材の連結一体化に、該中空形材と連結枠の嵌合を行うことなく、中空形材をその長手方向両端で所定長さの同長に直交切断することによって該長手方向両端を切断小口とし、該切断小口に連結枠を対接し、連結枠からのネジを中空形材のタッピングホールに螺入して、対向一対の連結枠によって中空形材長手方向両端を追っ付け状にネジ固定することによって、ブランクパネル乃至中空形材間にスリットを配置したスリット入りパネルとして連結一体化するようにして、上記プレス加工を可及的に減少し且つ一体化の構造を簡素化し、中空形材の一体化強度を確保するとともに生産効率の向上をなし得るようにしたものであって、即ち、請求項１に記載の発明を、同長多数の中空形材を連続並列したブランクパネル又はその中空形材間に部分的なスリットを配置したスリット入りパネルを対向一対の連結枠によって一体化して形成した門扉であって、上記中空形材を、端部配置用において中空基部の片側に、中間配置用において中空基部の両側にそれぞれ配置した嵌合条を隣接相互に嵌合し且つ各中空形材を直交切断した長手方向両端の切断小口に上記対向一対の連結枠を対接し該対向一対の連結枠から全部又は所定の中空形材の連結壁に配置したタッピングホールに対してネジを螺入することによって中空形材を上記ブランクパネル又はスリット入りパネルとして連結一体化してなることを特徴とする門扉としたものである。
【０００７】
請求項２に記載の発明は、上記に加えて、上記連結枠の一方又は双方に、上記中空形材を一体化したネジをカバーするネジ隠し材を配置して、ネジの露出を防止することによって可及的に外観を良好のものとするように、これを、上記対向一対の一方又は双方の連結枠に、その見込面を被覆するネジ隠し材を配置してなることと特徴とする請求項１に記載の門扉としたものである。
【０００８】
請求項３に記載の発明は、同じく上記に加えて、上記中空形材のパネルと連結枠との一体性を高度化し且つ該連結枠の端部処理を行って外観を良好なものとするように、これを、上記連結枠の長手方向端部を、上記端部配置用の中空形材の見込面に配置したＣ字状の溝条にコーナーブロックを介して保持してなることを特徴とする請求項１又は２に記載の門扉としたものである。
【０００９】
請求項４に記載の発明は、同じく上記に加えて、門扉のパネルをスリット入りパネルとしたとき、このスリットに隣接する中空形材の嵌合条が露出するのを防止して、該門扉の外観を良好なものとするように、これを、上記門扉のパネルをスリット入りパネルとし、そのスリットに隣接する両側の中空形材の嵌合条に該嵌合条の溝を閉塞する一対の溝塞ぎ材をそれぞれ嵌合配置してなることを特徴とする請求項１、２又は３に記載の門扉としたものである。
【００１０】
請求項５に記載の発明は、同じく上記に加えて、上記スリット入りパネルとするについて、該スリット上下端にスペーサーを配置し、これを上記対向一対の連結枠にネジ固定することによって、隣接する中空形材の安定保持とパネル全体としての一体化強度を確保したものとするように、これを、上記門扉のパネルをスリット入りパネルとし、その上記中空形材間のスリットの配置を、該スリット上下端にスペーサーを配置するとともに上記対向一対の連結枠から該スペーサーに対してネジを螺入することによって該スペーサーを連結枠に連結一体化してなることを特徴とする請求項１、２、３又は４に記載の門扉としたものである。
【００１１】
請求項６に記載の発明は、同じく上記に加えて、上記スペーサーを、ネジ受溝を有する中空形材を短寸に切断して形成し、小口を隣接する中空形材に向けて連結枠にネジ止めすることによって、簡易にして且つ外観良好なものとし得るように、これを、上記スペーサーを、一面にネジ受溝を備えて短寸に切断した短寸中空形材によって形成し、ネジ受溝を連結枠に向けてスペーサーに隣接する中空形材間に該短寸中空形材を介装配置し、上記対向一対の連結枠からのネジの螺入を上記ネジ受溝に対して行ってなることを特徴とする請求項５に記載の門扉としたものである。
【００１２】
請求項７に記載の発明は、同じく上記に加えて、パネルをスリット入りパネルとするについて、スリット上下端のスペーサーを隣接する中空形材の嵌合条を溝塞ぎ材と一体化して、枠内にスリットを備えたユニット枠とすることによって、パネル全体としての一体化強度とスペーサー近傍の外観を良好とするように、これを、上記門扉のパネルをスリット入りパネルとし、そのスリットに隣接する両側の中空形材の嵌合条に該嵌合条の溝を閉塞する一対の溝塞ぎ材をそれぞれ嵌合配置するとともに該溝塞ぎ材にその裏面からネジをスペーサーに螺入することによって、該スリット上下端のスペーサーを該溝塞ぎ材と一体化してなることを特徴とする請求項５又は６に記載の門扉としたものである。
【００１３】
請求項８に記載の発明は、同じく上記に加えて、上記連結材を、これにネジ固定を行った後に簡易且つ外観よくネジ隠し材を配置し得るものとするように、これを、上記連結材を、平坦基板と、該平坦基板の幅方向両端に係止条を備えて断面Ｃ字状の板状形材によって形成し且つネジ隠し材に配置した係止条を該連結材の係止条に嵌合係止してその配置を行なってなることを特徴とする請求項１、２、３、４、５、６又は７に記載の門扉としたものである。
【００１４】
本発明はこれらをそれぞれ発明の要旨として上記課題解決の手段としたものである。
【発明の効果】
【００１５】
本発明は以上のとおりに構成したから、請求項１に記載の発明は、中空形材の連結に、その中空基部両側の嵌合条の嵌合を用いるも、その対向一対の連結枠による中空形材の連結一体化に、該中空形材と連結枠の嵌合を行うことなく、中空形材をその長手方向両端で所定長さの同長に直交切断することによって該長手方向両端を切断小口とし、該切断小口に連結枠を対接し、連結枠からのネジを中空形材のタッピングホールに螺入して、対向一対の連結枠によって中空形材長手方向両端を追っ付け状にネジ固定することによって、ブランクパネル乃至中空形材間にスリットを配置したスリット入りパネルとして連結一体化するようにして、上記プレス加工を可及的に減少し且つ一体化の構造を簡素化し、中空形材の一体化強度を確保するとともに生産効率の向上をなし得るようにした門扉を提供することができる。
【００１６】
請求項２に記載の発明は、上記に加えて、上記連結枠の一方又は双方に、上記中空形材を一体化したネジをカバーするネジ隠し材を配置して、ネジの露出を防止することによって可及的に外観を良好のものとすることができる。
【００１７】
請求項３に記載の発明は、同じく上記に加えて、上記中空形材のパネルと連結枠との一体性を高度化し且つ該連結枠の端部処理を行って外観を良好なものとすることができる。
【００１８】
請求項４に記載の発明は、同じく上記に加えて、門扉のパネルをスリット入りパネルとしたとき、このスリットに隣接する中空形材の嵌合条が露出するのを防止して、該門扉の外観を良好なものとすることができる。
【００１９】
請求項５に記載の発明は、同じく上記に加えて、上記スリット入りパネルとするについて、該スリット上下端にスペーサーを配置し、これを上記対向一対の連結枠にネジ固定することによって、隣接する中空形材の安定保持とパネル全体としての一体化強度を確保したものとすることができる。
【００２０】
請求項６に記載の発明は、同じく上記に加えて、上記スペーサーを、ネジ受溝を有する中空形材を短寸に切断して形成し、小口を隣接する中空形材に向けて連結枠にネジ止めすることによって、簡易にして且つ外観良好なものとすることができる。
【００２１】
請求項７に記載の発明は、同じく上記に加えて、パネルをスリット入りパネルとするについて、パネルをスリット入りパネルとするについて、スリット上下端のスペーサーを隣接する中空形材の嵌合条を溝塞ぎ材と一体化して、枠内にスリットを備えたユニット枠とすることによって、パネル全体としての一体化強度とスペーサー近傍の外観を良好とすることができる。
【００２２】
請求項８に記載の発明は、同じく上記に加えて、上記連結材を、これにネジ固定を行った後に簡易且つ外観よくネジ隠し材を配置し得るものとすることができる。
【図面の簡単な説明】
【００２３】
【図１】門扉の正面図である。
【図２】門扉の横断面図である。
【図３】門扉の縦断面図である。
【図４】中間配置用の中空形材の嵌合状態を示す部分拡大図である。
【図５】吊元側の端部配置用と中間配置用の中空形材の関係を示す部分拡大図である。
【図６】戸先側の端部配置用と中間配置用の中空形材の関係を示す部分拡大図である。
【図７】他の例の門扉の正面図である。
【図８】門扉の横断面図である。
【図９】スリットのユニット枠部分の部分拡大図である。
【図１０】スリット部分の門扉の縦断面図である。
【図１１】他の例の門扉の正面図である。
【図１２】門扉の横断面図である。
【図１３】門扉の縦断面図である。
【図１４】中空形材の嵌合状態を示す部分拡大図である。
【発明を実施するための形態】
【００２４】
以下図面の例に従って本発明を更に具体的に説明すれば、図１乃至図６において、
Ａはアルミ押出材を用いて形成したアルミ製の門扉であり、該門扉Ａは、同長多数の中空形材１ａ、１ｂを連続並列したブランクパネルを対向一対の連結枠２によって一体化して形成した門扉であって、上記中空形材１ａ、１ｂを、端部配置用１ａにおいて中空基部１０の片側に、中間配置用１ｂにおいて中空基部１０の両側にそれぞれ配置した嵌合条１３を隣接相互に嵌合し且つ各中空形材を直交切断した長手方向両端の切断小口に上記対向一対の連結枠２を対接し該対向一対の連結枠２から全部又は所定の中空形材１ａ、１ｂの連結壁に配置したタッピングホール１４に対してネジ３を螺入することによって中空形材１ａ、１ｂを上記ブランクパネルとして連結一体化したものとしてある。
【００２５】
本例にあって、該門扉Ａは、上記中空形材１ａ、１ｂを左右方向に向けて連続並列し、その上下端に連結枠２を対向して一対配置し、ブランクパネルを中空形材１ａ、１ｂによる縦張りタイプとしてあり、該門扉Ａにおける上下端に位置する上記対向一対の双方の連結枠２に、その見込面を被覆するネジ隠し材４を配置したものとしてある。
【００２６】
中空形材１ａ、１ｂは、端部配置用１ａの２種と中間配置用１ｂの１種の合計３種のアルミ押出材を用いて、該押出材を直交切断することによって長手方向両端に切断小口を形成したものとしてあり、それぞれ、例えば、前後を平坦面とした中空基部１０と、該中空基部１０に配置した嵌合条１３を備えた中空断面形状をなすものとしてある。
【００２７】
端部配置用の中空形材１ａは、それぞれ見込面の連結壁に、吊元側と戸先側で溝深さを変化した各Ｃ字状の溝条１１を、左右他方の連結壁に一対の対向突条１３ａと、該一対の対向突条１３ａにそれぞれ断面コ字状とするも幾分形状の異なる係止溝条を配置した嵌合条１３を、また、上記吊元側と戸先側の一方、本例にあっては吊元側における中空基部１０の連結壁にタッピングホール１４を、中空基部１０の嵌合条１３配置側の連結壁近傍の前後端部に対向方向に向けて傾斜配置した傾斜壁１５を配置したものとしてある。
【００２８】
中間配置用の中空形材１ｂは、それぞれ中空基部１０と、該中空基部１０の左右一方片側の連結壁を部分的に断面Ｕ字状に凹陥した凹陥部１２とするとともに該凹陥部１２を隣接する中空形材方向、即ち側方に向けて該凹陥部１２の深さを深くするように突出した一対の対向条を配置しその先端に前後外方に向けた折曲条を配置した嵌合溝条１３ｂからなる嵌合条１３と、左右他方片側の連結壁から同じく側方に突出し且つ突出方向両先端に同じく前後外方に向けて突出方向に各一対の小突条を突設した対向突条１３ｃからなる嵌合条１３を、該対向突条１３ｃ間の連結壁、例えば、その前後中央位置に中空基部１０の内側に向けて開口したタッピングホール１４を配置し且つ中空基部１０の左右端部に対向方向、即ち内側に向けて傾斜配置した傾斜壁１５を配置したものとしてあり、このとき該中間配置用の中空形材１ｂの上記嵌合条１３の嵌合溝条１３ｂと対向突条１３ｃは、該嵌合溝条１３ｂに対向突条１３ｃを挿入することによって、嵌合溝条１３ｂの凹陥した対向壁間に該対向突条１３ｃの各小突条を対接して相互に嵌合自在としてあり、また、嵌合溝条１３ｂの前後外方に向けた折曲条は、端部配置用の中空形材１ｂ、特に吊元側の一対の対向突条１３ａにおける係止溝条と、上記対向突条１３ｃにおける各小突条は、特に戸先側の係止溝条とそれぞれ相互に噛合い状に嵌合するようにしてある。
【００２９】
従って、端部配置用と中間配置用の中空形材１ａ、１ｂは、例えば長手方向端部から嵌合条１３をスライドすることによって、また、中間配置用の中空形材１ｂは、嵌合条１３同士を追っ付け状に短手方向に合わせることによって、それぞれ嵌合条１３を相互に嵌合して、中空形材１ａ、１ｂを連続並立したブランクパネルを形成するようにしてあり、このとき中空形材１ａ、１ｂは、その上記中空基部１０の傾斜壁１５がその先端を対接することによって、パネル形成時に中空形材１ａ、１ｂ間にそれぞれＶ字状に凹陥した細溝を配置したものとなり、該パネルのアクセントをなすようにしてある。
【００３０】
本例にあって、連結枠２は、これを、平坦基板２１と、該平坦基板２１の幅方向両端に係止条２２を備えて断面Ｃ字状の板状形材、即ち、アルミ押出材によって形成したものとしてあり、このとき該連結枠２に配置したネジ隠し材４は、これに配置した係止条４３を該連結材２の係止条２２に嵌合係止してその配置を行なったものとしてある。
【００３１】
即ち、対向一対の連結材２は、同じくアルミ押出材を用いて双方で共通の上記断面Ｃ字状のものとしてあり、その係止条２２は、上記平坦基板２１の幅方向両端から対向方向に傾斜起立した起立片の先端に前後内側に向けて突出した係止条を備えたものとする一方、ネジ隠し材４は、その上位において、例えば、笠木状にやや外方に膨出した基板４１と、該基板４１の幅方向の前後両端に起立配置した一対の起立被覆条４２と、上記基板４１裏面の端部近傍位置に上記起立被覆条４２と平行に突出配置し且つ先端に前後内側に向けて突出して、上記連結材２の係止条２２にスナップイン係止自在とした各係止突条を有する一対の係止条４３を備え、また、下位において、上記膨出した基板に代えて下端を同一線上とした倒弓字状の基板４１に上記起立被覆条４２と、裏面端部近傍位置に係止突条を有する一対の係止条４３を備えたものとして、それぞれ断面コ字状のアルミ押出材によって形成したものとしてある。
【００３２】
対向一対の連結枠２は、その上記平坦基板２１の裏面を、上記中空形材１ａ、１ｂの切断小口に対接するように、上記ブランクパネルの上下端に追っ付け状に配置し、該平坦基板２１に予め透設した透孔から中空形材１ａ、１ｂの各タッピングホール１４にネジ３を螺入してあり、これによって、該連続並列の中空形材１ａ、１ｂをブランクパネルとして連結一体化してあり、このとき、本例にあって上記端部配置用、特に戸先側の中空形材１ａは、タッピングホール１４の配置を省略してあるので、該戸先側の中空形材１ａは、その上下の連結枠２に挟持するとともにその嵌合条１３によって隣接した中間配置用の中空形材１ｂとの間でその連結一体化を行うようにしてある。
【００３３】
ネジ隠し材４は、中空形材１ａ、１ｂの各ネジ３止め後に、上下の各連結枠２にそれぞれ被せるようにブランクパネル側に押圧することによって、双方の係止条２２、４３をスナップイン係止するとともにその上記一対の起立条の端部係止条を、平坦基板２１の両端にスナップイン係止し、該上下の連結枠２の全体を被覆するようにしてあり、このとき、本例にあってネジ隠し材４両端の起立条が、連結枠２の前後端部を被覆し、平坦基板２１のネジ３を含めて、連結枠２が外部に露出するのを防止してある。
【００３４】
このとき、連結枠２、本例にあっては上下双方の連結枠は、その長手方向端部を、上記端部配置用の中空形材１ａの見込面に配置した上記Ｃ字状の溝条１１にコーナーブロック５を介して保持してある。即ち、コーナーブロック５は、合成樹脂乃至アルミ鋳物によってＬ字状に成形した２種を用いてパネルのコーナー４箇所に、一方の突片を端部配置用の中空形材１ａの溝条１１に、他方の突片を連結枠２とネジ隠し材４間に形成された開口にそれぞれ挿入して、該連結枠２を端部配置用の中空形材１ｂに対して固定することによって、その保持を行ってあり、該コーナーブロック５による連結枠２の保持は、上記ネジ隠し材４による連結枠２への被覆前に、これを行うようにしてある。
【００３５】
図中Ｂは門柱、８はヒンジ、９は錠をそれぞれ示す。
【００３６】
図７乃至図１０は、他の例を示すもので、門扉Ａは、同長多数の中空形材１ａ、１ｂを連続並列してその中空形材１ｂ間にスリット６１を部分的に配置したスリット入りパネルを対向一対の連結枠２から中空形材１ａ、１ｂにネジ３を螺入することによって該中空形材１ａ、１ｂをスリット入りパネルとして連結一体化したものとしてあり、本例にあって門扉Ａは、中央位置に配置した中間配置用の中空形材１ｂの幅を幅広とした以外、上記図１乃至図６のものと同じ中空形材１ａ、１ｂ、連結枠２、ネジ隠し材４を用いて、これらを上記と同様に配置してその連結一体化を行なってあり、このとき上記スリット６１は、上記幅広とした中央位置の中間配置用の中空形材１ａによって幅を吸収することによって、上記門扉Ａの幅を変化することなく、防犯性を有する開口幅とした細幅２条のものとしてある。
【００３７】
本例にあって、上記中空形材間１ｂのスリット６１の配置は、これを、該スリット６１上下端にスペーサー６を配置するとともに上記対向一対の連結枠２から該スペーサー６に対してネジ３を螺入することによって該スペーサー６を連結枠２に連結一体化し、また、スリット６１に隣接する中空形材１ａの嵌合条１３に該嵌合条１３の溝を閉塞する溝塞ぎ材７を嵌合配置してある。
【００３８】
スペーサー６は、これを、一面にネジ受溝６２を備えて短寸に切断した短寸中空形材によって形成し、ネジ受溝６２を連結枠２に向けてスペーサー６に隣接する中空形材１ａ間に該短寸中空形材を介装配置し、上記対向一対の連結枠２からのネジ３の螺入を上記ネジ受溝６２に対して行ったものとしてあり、このとき、該スリット６１に隣接する両側の中空形材１ａの嵌合条１３に該嵌合条１３の溝を閉塞する一対の溝塞ぎ材７をそれぞれ嵌合配置するとともに該溝塞ぎ材７にその裏面からネジ３をスペーサー６に螺入することによって、該スリット６１上下端のスペーサー６を該溝塞ぎ材７と一体化したものとしてあり、これによってスペーサー６は、両側の溝塞ぎ材７とによって細幅矩形のユニット枠をなすとともに該ユニット枠を中間配置の中空形材１ａ間に介設して上記スリット６１を形成したものとしてある。
【００３９】
即ち、スペーサー６は、中空矩形の断面にして上下端にタッピングホール６３を、上下片側の一面に該タッピングホール６３に連続して外方に突出した一対の突条によって上記連結枠からのネジ３を螺装するネジ受溝６２を配置した押出材を用い、該押出材の長さを上記スリット幅に合せて短寸切断したものとしてある。
【００４０】
また、溝塞ぎ材７は、上記中間配置の中空形材１ａの左右一方側面及び他方側面の連結壁に配置した嵌合条１３の双方に嵌合自在とするように平坦基板７１と、該平坦基板７１の両端から起立した一対の起立条７２、該起立条７２の先端からＶ字状にそれぞれ突出した係止被覆条７３、上記平坦基板７１の中間位置から小突出した一対のＬ字係止条７４とを備えた断面略Ｃ字状とした左右に共通形状の押出材によるものとしてある。
【００４１】
上記スペーサー６は、その切断小口を、上記一対の溝塞ぎ材の対向面に対接して、各塞ぎ材の裏面から各上下のネジ３を上記上下端のタッピングホール６３に螺入して、上記細幅矩形のユニット枠を構成してあり、該ユニット枠は、その溝塞ぎ材７の係止被覆条７３を、上記中空形材１ａの左右一方側面の嵌合条１３における上記嵌合溝条を画する対向壁の折曲条に、溝塞ぎ材７のＬ字係止条７４を、上記中空形材１ａの左右他方側面の嵌合条１３における一対の突条先端の小突条に嵌合自在としてあり、これによって上記ユニット枠を中空形材１ａの嵌合条１３にスライドすることによってその中空形材１ａ間に連続並列を自在としてある。
【００４２】
従って、本例のスペーサー６と溝塞ぎ材７を一体化したユニット枠は、これを、上記中央位置を含む３本の中間配置の中空形材１ａ間に並列し、該上端のスペーサー６にあっては上面、下端のスペーサー６にあっては下面の上記ネジ受溝６２に対して、中空形材１ａ，１ｂと同様に連結枠２からネジ３を螺入して門扉Ａをなすものとしてあり、これによって、上記図１乃至図６の例の門扉のブランクパネル面内の一部の中空形材に代えて、上記中間位置の中空形材１ａとユニット枠を用いて、これらを並列連結してスリット入りパネルとして連結一体化したものとしてある。
【００４３】
図１１及び図は１４、同じく他の例を示すもので、門扉Ａは、上記中空形材１ａ、１ｂを上下方向に向けて連続並列し、その左右端に連結枠２を対向して一対配置し、ブランクパネルを中空形材１ａ、１ｂによる横張りタイプとした例である。
【００４４】
該横張りの門扉Ａは、それぞれ上記に示した例のものとは異なる断面形状をなす端部配置用及び中間配置用の中空形材１ａ、１ｂ、連結枠２及びネジ隠し材４を用いて、上記と同様に連結一体化を行ってあり、本例にあって端部配置用の中空形材１ａは、その上位側において、上面を笠木状にやや外方に膨出し且つ上面の前後端を前後にリブ状に突出した中空基部１０と、該中空基部１０の下方に起立して突出方向先端を垂直嵌合条とした対向一対の垂下条１３ｄによる嵌合条１３と、上記中空基部１０の前後対向壁及び下位対向壁にタッピングホール１４を備えたものとし、下位側において、同じく下面の前後端をリブ状に突出した中空基部１０と、該中空基部１０の上方に起立した対向一対にして突出方向先端を相互に内側にＬ字状をなすように屈曲した屈曲嵌合条を有する上向き起立条１３ｅによる嵌合条１３と、上記中空基部１０の前後対向壁の内側に上下及び左右に各一対のタッピングホール１４を備えたものとしてある。
【００４５】
中間配置の中空形材１ｂは、中間の中空基部１０と、その上下にそれぞれ突出した、上記端部配置用の中空形材１ｂと同様の、突出方向先端を相互に内側にＬ字状をなすように屈曲した屈曲嵌合条を有する対向一対の上向き起立条１３ｅと、突出方向先端を垂直の対向一対の垂下条１３ｄとした嵌合条１３と、中空基部１０の上下対向壁にそれぞれタッピングホール１４を備えたものとしてあり、端部配置用及び中間配置用の中空形材１ａ、１ｂにおける対向一対の上向き起立条１３ｅ及び垂下条１３ｄにおける屈曲嵌合条と垂直嵌合条は、該端部配置用と中間配置用の中空形材１ａ、１ｂ間で相互に嵌合自在としてある。
【００４６】
連結枠２は、平坦基板２１と、上記図１乃至図６の門扉Ａにおける端部配置用の中空形材１ａに配置した吊元側と戸先側で溝深さを変化した各Ｃ字状の溝条１１と同一断面形状の溝条２３を備えて断面Ｃ字状のものとしてある。
【００４７】
該連結枠２に配置したネジ隠し材４は、上記端部配置用のうち、吊元側の連結枠２における溝条２３は、ヒンジ装着用に用いるために、本例にあって該ネジ隠し材４は、特に戸先側の一方に配置するものとしてあり、該ネジ隠し材４は、上記連結枠２の上記各Ｃ字条の溝条２３に、例えばスライド嵌合する幅方向両端を溝条両端内側に対接するようにＬ字状に屈折したプレート状のものとしてある。
【００４８】
端部配置用及び中間配置用の中空形材１ａ、１ｂは、その嵌合条１３を相互に嵌合して上下に積層するように同様に連続並列し、該中空形材１ａ、１ｂ長手方向両端の吊元側及び戸先側に配置した連結枠２からのネジ３で横張りのパネルとして連結一体化し、戸先側の連結枠の各Ｃ字条の溝条２３に上記プレート状のネジ隠し材４を配置することによって、中空形材１ａ、１ｂを横張りした門扉Ａとしてある。
【００４９】
図７以下のその余の構成は、上記例と変わらないので、同一符号を付してその重複する説明を省略する。
【００５０】
以上のように構成した各門扉Ａは、従来の如くに、中空形材１ａ、１ｂと連結枠２の嵌合を行うことなく、直交切断した中空形材１ａ、１ｂに連結枠２を追っ付け状に配置し、該連結枠２からのネジ３によって中空形材１ａ、１ｂの連結一体化を行って、ブランクパネル乃至中空形材１ｂ間にスリット６１を配置したスリット入りパネルのものとすることができるとともに中空形材１ａ、１ｂの連結一体化の強度を充分に確保して、プレス加工の減少と連結一体化の構造を簡素化によって生産効率を向上した門扉Ａとすることができる上、ネジ３の露出、嵌合条１３の露出等がなく、外観を良好としたものとすることができる。また、スリット入りパネルとするについて、枠内にスリット６１を備えたユニット枠として、これを他の中空形材１ａ、１ｂと同様に連結枠２からのネジ３によって連結一体化することによって、一体化強度とスペーサー近傍の外観を実現したものとすることができる。
【００５１】
図示した例は以上のとおりとしたが、横張りの門扉を、上記に準じたユニット枠を用いることによってスリット入りパネルによって形成したものとすること、スリットを端部配置用と中間配置用の中空形材間に配置することを含めて、本発明の実施に当って、門扉、ブランクパネル、スリット入りパネル、中空形材、連結枠、その連結一体化、必要に応じて用いるネジ隠し材、コーナーブロック、溝塞ぎ材、スペーサー等の各具体的形状、構造、材質、これらの関係、これらに対する付加等は、上記発明の要旨に反しない限り様々な形態のものとすることができる。
【符号の説明】
【００５２】
Ａ  門扉
Ｂ  門柱
１ａ  端部配置用の中空形材
１ｂ  中間配置用の中空形材
１０  中空基部
１１  溝条
１２  凹陥部
１３  嵌合条
１３ａ  対向突条
１３ｂ  嵌合溝条
１３ｃ  対向突条
１３ｄ  垂下条
１３ｅ  上向き起立条
１４  タッピングホール
１５  傾斜壁
２  連結枠
２１  平坦基板
２２  嵌合条
２３  溝条
３  ネジ
４  ネジ隠し材
４１  基板
４２  起立被覆条
４３  係止条
５  コーナーブロック
６  スペーサー
６１  スリット
６２  ネジ受溝
６３  タッピングホール
７  溝塞ぎ材
７１  平坦基板
７２  起立条
７３  係止被覆条
７４  Ｌ字係止条
８  ヒンジ
９  錠
【図１】
2011074635.tif 000003
【図２】
2011074635.tif 000004
【図３】
2011074635.tif 000005
【図４】
2011074635.tif 000006
【図５】
2011074635.tif 000007
【図６】
2011074635.tif 000008
【図７】
2011074635.tif 000009
【図８】
2011074635.tif 000010
【図９】
2011074635.tif 000011
【図１０】
2011074635.tif 000012
【図１１】
2011074635.tif 000013
【図１２】
2011074635.tif 000014
【図１３】
2011074635.tif 000015
【図１４】
2011074635.tif 000016